(57)【要約】【課題】操作手段の操作部をホールド部材で保護し、ホールド状態が容易にわかる様にした誤動作防止機能を有するホルダーを衝撃緩和手段（ダンパー）に兼用した電子機器及び再生装置を得る。【解決手段】ケーシング２とカバー２５間に摺動可能に配設したホルダー１１によって操作手段２３の落下時衝撃を緩和すると共に電気的なホールドを行なって携帯型再生装置の誤動作を防止する。【選択図】        図１
2004240337.tif 000002
【特許請求の範囲】
【請求項１】
電子機器本体と成るケーシングと、
上記ケーシング上に配設される被保護部材を有するカバーと、
上記ケーシングと上記カバー間に摺動自在に配設し、上記被保護部材の機能動作を電気的にホールドするホルダーとを具備し、
上記ホルダーを衝撃を緩和する衝撃緩和手段として機能させて成ることを特徴とする電子機器。
【請求項２】
前記被保護部材が前記カバーに設けられた操作手段であることを特徴とする請求項１記載の電子機器。
【請求項３】
再生装置本体と成るケーシングと、
上記ケーシング上に配設される被保護部材を有するカバーと、
上記ケーシングと上記カバー間に摺動自在に配設し、上記被保護部材の機能的動作を電気的にホールドするホルダーとを具備し、
上記ホルダーを衝撃を緩和する衝撃緩和手段として機能させたことを特徴とする再生装置。
【請求項４】
一方に開口部を有するケーシングと、
上記ケーシングの上部に開口部を覆う様に半円筒状に形成され、少なくとも表示部を設けたカバーと、
上記カバーの一端に配設した各種の操作を行なう操作手段と、
上記ケーシングと上記カバー間に配設され、上記操作手段側に摺動させて、該操作手段を保護する様に成した半円筒状のホルダーを具備し、
上記ホルダーを衝撃を緩和する衝撃緩和手段として機能させて成ることを特徴とする再生装置。
【請求項５】
前記再生装置を落下させた時、前記ホルダーを構成する上下枠で落下時の前記衝撃を受ける様に成したことを特徴とする請求項３又は請求項４記載の再生装置。
【発明の詳細な説明】
【０００１】
【発明の属する技術分野】
本発明は記録媒体として、フラッシュメモリやメモリスティック等の半導体メモリを用いた電子機器及び再生装置に係わり特に誤操作防止用ホルダーを衝撃緩和手段（ダンパー）と兼用した電子機器及び再生装置に関する。
【０００２】
【従来の技術】
従来から、駆動部分を持たないで、記録媒体としてフラッシュメモリ等の半導体メモリを搭載したメモレコーダ用の記録再生装置としては種々のものが提案され、その形状もキーホルダー型、棒状型、動物をデザインしたもの等が知られている。又、パソコンと連携可能な本出願人が提案した「ＩＣＤ−８０」ではパソコンに転送した内容をハードディスクで簡単に保存、管理可能である。
【０００３】
上述の記録・再生装置はメモ用レコーダとして利用されているが、音声だけでなく、音楽用途にも拡大するため国際規格のＭＰＥＧ１／Ａｕｄｉｏ  Ｌａｙｅｒ３（通常：ＭＰ３）や「Ｔｗｉｎ  ＶＱ」等の圧縮技術を用いて圧縮率を１／１０〜１／１８程度までとしたネットワーク、オーディオが非特許文献１に開示されている。
【０００４】
又、携帯用の再生装置とヘッドホンの接続コードの途中に遠隔操作装置を設けたものが知られている。
この遠隔操作装置は、再生装置の基本的操作を行うことが出来る様に、押し釦型の再生開始釦、再生停止釦、順方向トラックジャンプ釦、逆方向トラックジャンプ釦、音量を大きくする音量プラス釦、音量を小さくする音量マイナス釦等の操作釦群が設けられ、再生装置本体に設けられた操作部で操作するまでもなく、遠隔操作装置で操作を行なうことが出来る様に成されているが、遠隔操作装置に設けられた各操作釦は押し釦型であるため、種々な物が当たったときに不意に押圧され、利用者の意に反して種々の機能が実行されてしまうために全体の形状を略円柱状とし、携帯時に操作釦等に物が引っ掛かりにくい形状とした遠隔操作装置が特許文献２に開示されている。
【０００５】
【非特許文献１】
相原正道、音楽はダウンロードで遊ぶカセットテープはもういらないフラッシュが記録を引き受ける。月刊  Ｓｅｍｉｃｏｎｄｕｃｔｏｒ  Ｗｏｒｌｄ  １９９８年１１月，ｐ２０〜２３
【特許文献２】
特開２００２−９３１４２号公報
【０００６】
【発明が解決しようとする課題】
上述の非特許文献１に示されたネットワーク用オーディオ等に用いるレコーダ等では携帯に便利な様に小型化が図られるため、各種の再生、録音等の操作釦は非特許文献１で説明したと同様に携帯時に種々な物に当たってユーザの意に反した機能動作を実行し、電池等を消耗するのを防止するために通常はホールド釦を設けて非使用時にはこのホールド釦をロック動作させることで、操作釦群を非動作状態と成る様に成した誤操作防止機構を有している。この様なホールド釦は特許文献２に開示した遠隔操作装置にも付加したものが多い。
【０００７】
然し、この様なホールド釦は小型化された再生装置本体、或は遠隔操作装置内に配設されるため、ユーザはホールド釦がロック状態にあるのを確認し難いだけでなく操作釦群の例えば再生釦等を操作しても、ロック状態にある再生装置が動作しない状態なので故障と間違えたり、電池切れ等を連想し、種々の混乱を生ずる課題があった。
【０００８】
また、携帯用の小型化が図られた携帯用個人情報端末装置（ＰＤＡ）や携帯用電話機等の電子機器やネットワーク・オーディオに用いられる携帯用の記録・再生装置或は再生装置では常時、携帯しているため誤って落とし、機器本体に落下時に強い衝撃が与えられ、機器の破損に至るケースが多かった。
【０００９】
本発明は叙上の課題を解決するために成されたものであり、本発明では
（１）  携帯用電子機器や携帯用再生装置を誤って落下させても被保護部材と成る操作部が集中する操作手段を誤操作防止用のホルダーで保護することの出来るホルダー兼用の衝撃緩和手段（以下ダンパーと記す）を得る。
（２）  ホルダーを大きく、且つ重くさせて重心を所定位置に選択し被保護部材近傍を覆う様にすることで落下時に被保護部材を避けて落下させることが可能なホルダー兼用のダンパーを得る。
（３）  ホルダーを大きくし、一目でホールド或はアンホールド状態が分かる様に成し、ポケットや鞄内でも手触りでホールド状態が分かる様にする。
（４）  ホルダー部材によって操作部や表示部を少なくとも半円周を囲繞する様に構成させて保護すると共に携帯時に円筒状の操作部に種々の物が当たらない様にし、被保護部材の誤操作を防止する。
（５）  ホールド部材によって再生装置の本体を構成するメモリフラッシュ等を内蔵するケーシングとカバーを一体化して継目なしに見せる様にし、シームレスケースの様な効果をだし、ケーシングとカバーが一体化されている様な構成とする。
（６）  ホルダー部材をスタンド台或はエスカッションとして機能させる。
ことで、小型で使い勝手の良い被保護部材の誤操作防止及び保護が可能な電子機器及び再生装置を得ることも目的とするものである。
【００１０】
【課題を解決するための手段】
本発明の電子機器及び再生装置はケーシングとカバー間に配設したホルダーによって操作手段が誤操作されない様に操作手段の少なくとも半円周を覆う様に成しホルダーをダンパーに兼用して落下時の衝撃を緩和する様に成したものである。
【００１１】
即ち、本発明の電子機器は電子機器本体と成るケーシングと、ケーシング上に配設される被保護部材を有するカバーと、ケーシングとカバー間に摺動自在に配設し、被保護部材の機能動作を電気的にホールドするホルダーとを具備し、ホルダーを衝撃を緩和する衝撃緩和手段として機能させる様にしたものである。
【００１２】
第１の本発明再生装置は再生装置本体と成るケーシングと、このケーシング上に配設される被保護部材を有するカバーと、ケーシングとカバー間に摺動自在に配設し、被保護部材の機能的動作を電気的にホールドするホルダーとを具備し、ホルダーを衝撃を緩和する衝撃緩和手段として機能させたものである。
【００１３】
第２の本発明の再生装置は一方に開口部を有するケーシングと、このケーシングの上部に開口部を覆う様に半円筒状に形成され、少なくとも表示部を設けたカバーと、このカバーの一端に配設した各種の操作を行なう操作手段と、ケーシングとカバー間に配設され、操作手段側に摺動させて、操作手段を保護する様に成した半円筒状のホルダーを具備し、ホルダーを衝撃を緩和する衝撃緩和手段として機能させたものである。
【００１４】
斯かる、本発明のホルダーによれば誤って電子機器や再生装置を落下させてもホルダーによって落下時の衝撃を受けて機器本体への衝撃を緩和可能であり、鞄等に入れても誤って操作手段内の釦類が動作しないものが得られる。又ホルダーを大きくしたのでホールド、或はアンホールド状態を手触り等で判断可能と成り、使い勝手の良い、小型の誤操作防止可能な電子機器及び再生装置を得ることが出来る。
【００１５】
【発明の実施の形態】
以下、本発明の１形態例として、ネットワークオーディオとしてフラッシュメモリを内蔵し、外付きのスティックメモリが挿入可能な誤操作防止可能な電子機器及び再生装置（記録／再生装置を含む）を図１乃至図９によって詳記する。
【００１６】
図１は本発明の電子機器或は再生装置の外観を示す斜視図、図２は図１の背面図、図３は図１の平面図、図４は要部の組立状態を示す斜視図である。
【００１７】
図１乃至図４に於いて、本例の再生装置１はネットワーク・オーディオ、（ソリッド或はシリコンオーディオ）と同様にバーソナルコンピュータ（以下ＰＣと記す）のハードディスクに保存した音楽データを再生装置１に内蔵した２５６ＭＢのフラッシュメモリ等の半導体メモリ（ＤＲＡＭ）或は再生装置１内に挿入可能なメモリスティック等の半導体メモリ（ＤＲＡＭ）に転送することで１１時間以上の音楽データ（勿論ＣＤ並みの音質）の記録／再生が可能であり、圧縮方法は高音質、高圧縮のＡＴＲＡＣ３Ｐｌｕｓを用いている。
【００１８】
図１に於いて、２はケーシングであり、チタン等の薄板を深絞りして上面に図４に示す様に開口部３を形成する。その形状は下面を半円状と成し開口部３側に向かって末広がり状に成した略直方体状の箱型と成されている。
【００１９】
ケーシング２の下面には図２に示す様に外付けのメモリスティック等を挿入可能な開口５を有し、この開口５はシャッタ４を開閉可能にケーシング２内に装着される取付部材（図示せず）に枢着され、シャッタ４が開口５を覆う様に構成されている。
【００２０】
図１で６ａはＰＣにＵＳＢ（Ｕｎｉｖｅｒｓａｌ  Ｓｅｒｉａｌ  Ｂｕｓ）クレードル（図示せず）を介して接続したクレードル上のプラグが嵌まり込む為のプロテクタであり、図２に示す６ｂはシャッタ４内に挿入したスティックメモリをイジェクトするためのイジェクト釦、８は種々のメニューをＬＣＤ等の表示部７にも表示するためのメニュー釦、１４はＰＣとのデータ通信中に点灯するアクセスランプである。
【００２１】
ケーシング２の開口部３の左右側板の上面は図４に示す様に半円状に下方向に切込まれた切込部９Ｌ，９Ｒが形成されている。左側面に形成されている１５はプリセット釦用穴、１６はイジェクト釦６ｂ用の透孔と後述する操作手段２３とプラグ２８が一体化されたカバー２５を保持する透孔であり、ケーシング２の前面板の開口部３の上辺には後述するホルダー１１を左右に摺動させる際の摺動範囲を規制するストッパとなる浅い切溝１０が形成されている。
【００２２】
又、上述の如きケーシング２内には図４に示す様にフラッシュメモリやワーク用のマイクロコンピュータ等を搭載したメイン基板１２を保持するホルダー枠１３を設け、このホルダー枠１３をケーシング２内に挿入し、図示しないが充電式のニッケル水素電池等の二次電池と共に挿入してあり、１回の充電で１１時間の連続再生が可能と成されている。
【００２３】
ホルダー枠１３の上面側には図４及び後述する図５乃至図８に示す様に中央部にボール１７が埋め込まれたＬ字状の金具が固定され、クリックモーション部材１８を構成している。又、メイン基板１２の上面側にはスイッチ１９が配設されている。
【００２４】
ホルダー１１は図１乃至図４に示す様に図３の平面図で見れば略長方形状の枠体で長辺方向は上下の互に平行に配された略棒状の上下枠２１Ｕ及び２１Ｄと成され、これら上下枠２１Ｕ及び２１Ｄの左右端を図１及び図４の様に互に接合する様に下方向に凸と成された略半円状の左右横枠２０Ｌ及び２０Ｒで略長方形状に亜鉛合金等の重く、比較的軟らかい材料を鋳造で一体に形成後にニッケル鍍金等が施されている。
【００２５】
ホルダー１１の右横枠２０Ｒの幅Ｗ（図４参照）は図１に示す略円筒状に構成した。操作手段２３を構成する操作摘み２２の幅Ｗ１  （図１参照）部分を覆う得る幅に選択する。
【００２６】
操作手段２３は操作摘み２２及び再生／停止釦２４から成り、操作摘み２２は図１の操作摘み２２に刻設した矢印で示す方向引き出すことが出来る。この様に操作摘み２２を引き出した時は聞きたい曲をＣＤアルバムやアーティスト等のグループにまとめてチェックアウト／チェックイン（ＰＣの音楽データを半導体メモリに転送或は半導体メモリ内の音楽データをＰＣに戻す）するグループモードと成され、操作摘み２２を引き出した状態で左右に回すことで再生中のグループ中の最初の曲の頭出しや次のグループの最初の曲の頭出しが行なわれる。次に操作摘み２２を押し込んだ状態では操作摘み２２を左右に回すことで次の曲の頭出し、再生中の曲の頭出し、早送り、早戻し等の各種操作が出来る様に成されている。
【００２７】
上述の操作手段２３は表面に表示部７が配設されたカバー２５の右側部に装着されている。
【００２８】
図１乃至図３で２６は音量の調整を行なう音量摘み、２８はヘッドホンワイヤ２７が接続されたプラグであり、これらもカバー２５の左側部に装着されている。
【００２９】
次にカバー２５及びホルダー１１を図１乃至図３及び図９によって説明する。図９はケーシング２上にホルダー１１を介してカバー２５を組み立てる状態を示す組立斜視図である。
【００３０】
図４で説明を行なわなかったホルダー１１の上枠２１Ｕ及び下枠２１Ｄには、これら上下枠体２１Ｕ及び２１Ｄと一体に形成した突片２９及び３０を有する。以下これら突片２９及び３０を図９で説明する。
【００３１】
図９に於いて、ホルダー１１の上枠２１Ｕ及び下枠２１Ｄの略中央部には内方に向かって突片２９及び３０が形成されている。突片２９の裏側にはその長手方向に溝３１が形成され、この溝３１がケーシング２の上面に形成した切溝１０の上辺に嵌め込まれて切溝１０内で摺接しながら摺動する。従って、突片２９の長手方向の長さＬはケーシング２の切溝１０の長さＬ１  に比べて短く選択され長さＬ１  −Ｌがホルダー１１が摺動するストロークを定めて突片２９の左右端が切溝１０内でストッパの機能を果たしている。
【００３２】
一方、下枠２１Ｄの長手方向の略中央位置に突片２９と対向する様に内方に形成した突片３０にはケーシング２の裏面側の切溝１０を形成していない上辺（開口部３の長辺の上面）と嵌め合って摺接しながら摺動する溝３２が形成され、突片３０の右端側には図４で説明したクリックモーション部材１８のボール１７をホルダー１１のホールド及びアンホールド位置でクリックさせるノッチ３３が形成され、左端側には図４で説明したスイッチ１９を動作させるための押圧片３４が形成されている。
【００３３】
上述の突片３０が挿入され、所定ストロークの移動が可能な様にカバー２５には切溝３５が形成されていて、カバー２５はケーシング２の開口部３の長辺上に対向配置されて、カバー２５と一体化された操作手段２３及びプラグ２８は、これら両部材に設けた突片（図示せず）を介して図４及び図９に示す開口部３側の左右壁に形成した透孔１６を介してカバー２５とケーシング２はネジ止めされるためホルダー１１は図４で所定ストロークだけ摺動可能と成る。
【００３４】
カバー２５はケーシング２と同様のチタン薄板を図９に示す様に半円柱状筒に形成し、上面側にはＬＣＤ等の表示部７を配設させるための窓孔３６が穿たれ、左右端には円柱状の操作手段２３やプラグ２８を配設するためにケーシング２に形成したと同様の半円状の切込部３７Ｌ，３７Ｒが形成されている。図９には示されていないが、このカバー内には表示部７や操作手段２３及び音量摘み２６等の各機能を動作させるＬＳＩ基板を含み、これらの入出力端子はフレキシブルコード３８を介してケーシング内の主回路と接続される様に成されている。
【００３５】
次に、上述の電子機器或は再生装置１での誤操作防止構成を図５乃至図８を用いて説明する。
図５及び図６は図４で説明したメイン基板１２を含むホルダー枠１３をケーシング２内に挿入した状態でのホルダー１１のホールド状態及び再生状態等のアンホールド状態を示すホルダー上面側から視た斜視図を示すものであり、図７及び図８はホルダーのアンホールド状態での操作手段２３の動作状態を説明するためのホルダー１１の上面側から視た斜視図である。
【００３６】
図５及び図６で示す状態ではカバー２５が示されていないが、ホルダー１１は上述した様に、ケーシング２とカバー２５間でシームレスの様に一体化されたケース２の様にみせることが出来て、カバー２５とケーシング２間でホルダー１１は左右に摺動可能である。
【００３７】
図５はホールド状態にあり、ホルダー１１は矢印Ａ方向に摺動された状態を示し、クリックモーション部材１８のボール１７位置に突片３０の左側のノッチ３３が持ち来されて、突片２９及び３０の右端はケーシング２及びカバー２５の切溝１０及び３５の右端に当接してストップ状態と成り、突片３０の押圧片３４はメイン基板１２上に配設したスイッチ１９を押圧し、すべての操作手段２３の電気的動作機能をロック或はフリーズするホールド状態とするが、表示部７上には「ホールド」の表示を行なって、ホルダー１１がホールド中であることをユーザが解る様に成されている。
【００３８】
このホールド状態では操作手段２３の操作摘み２２や再生／停止釦２４は円筒状と成されている為に物に引っ掛かり難いだけでなくその下半分がホルダー１１の半円状の右横枠２０Ｒで覆われるため鞄やポケットに入れた場合に、他の物に当たる回数も減り、電気的にホールド状態としているのでユーザの意に反した操作が行なわれることはない。
【００３９】
次に、図６に示す様にホルダー１１を矢印Ｂの様に摺動させるとクリックモーション部材１８のボール１７の位置を左側のノッチ３３が乗り越えて突片３０の右側のノッチ３３にボール１７がクリックすると共に押圧片３４はスイッチ１９を「オフ」状態とするためホールド状態は解除されて、操作手段２３や音量摘み２６を動作状態にさせることが出来る。
【００４０】
図７及び図８は図６と同様のアンホールド状態でカバー２５（図示せず）に固定され、回動及び摺動可能と成された操作手段２３の操作摘み２２を示すもので図７では操作摘み２２を矢印Ａ方向に引っ張ったグループモードの状態を示し、この状態では操作摘み２２を時計或は反時計方向に回動させることで前記したグループモード時の各種選択を行なうことが出来る。又、図８に示す様に操作摘み２２を矢印Ａ方向に引っ張らない状態でも操作摘み２２や、再生／停止釦２４の操作はホルダー１１が図６と同様に矢印Ｂ方向に移動しているので容易に行なうことが出来る。
【００４１】
本発明の再生装置１は操作手段２３側を図１０（Ａ）の様に下側に向けて落下地点４０の１ｍ上からの落下試験では図１０（Ｂ）に示す様に再生装置１全体が斜めに傾いた状態と成り、最終的には図１０（Ｃ）の様にホルダー１１の下枠２１Ｄ又は上枠２１Ｕ側が落下地点４０の砂上に対向する状態で略１００％着地することを確認している。即ち、本例の再生装置ではケーシング２及びカバー２５はチタンで極めて軽量に成されると共にケーシング２内に挿入されるメイン基板１２やホルダー枠１３も極めて軽量に構成出来るのでケーシング２内に挿入されるニッケル水素電池の重さでケーシング２及びカバー２５を含めたケースの重心や体積が定められる。
これに対して、ホルダーは亜鉛合金等の重い鋳造品で構成させたため再生装置全体の重心は前方（カバー２５側）に位置し、電池の挿入位置に応じて図１０（Ｂ）の様に斜め方向をある程度コントロールすることが出来る。
【００４２】
又、本例の再生装置では図２で示す状態の様に再生装置１を水平にして紙面方向に落下させた場合も勿論ホルダー１１の上下枠２０Ｕ及び２０Ｄが地上に先に着地するため、操作手段の保護だけでなくケーシング２やカバー２５の落下衝撃も緩和することが出来る。即ち、ホルダー１１は誤操作防止機能だけでなく、落下時の衝撃を緩和させるダンパーとして機能させることも出来る。
【００４３】
本発明の上述のホルダー１１はケーシング２及びカバー２５にチタン薄板を用いたため、高い硬度と高い摩耗性を有するためカバー２５やケーシング２よりも軟らかな材質のホルダー１１をベアリング等を用いずに直接摺動させることが可能と成る。
【００４４】
又、机やテーブル上に載置する場合はホルダー１１はスタンド台として機能させることも出来る。更にカバー２５をパネル面とみれば表示部７のエスカッション（飾り枠）としての機能も有する。上述の構成では再生装置として説明したが記録・再生装置やＰＤＡの様な携帯個人情報端末装置に本発明のホルダーを適用し得ることは明らかである。
【００４５】
【発明の効果】
本発明に依れば下記各項に示す効果を奏することが出来る。
（１）  携帯用電子機器や携帯用再生装置を誤って落下させても被保護部材と成る操作部が集中する操作手段を誤操作防止用のホルダーで保護するホルダー兼用の衝撃緩和手段（ダンパー）を得ることが出来る。
（２）  ホルダーを大きく、且つ重くさせて重心を所定位置に選択し、被保護部材近傍を覆う様にすることで落下時に被保護部材を避けて落下させることが可能なホルダー兼用のダンパーを得ることが出来る。
（３）  ホルダーを大きくし、一目でホールド或はアンホールド状態が分かる様に成し、ポケットや鞄内でも手触りでホールド状態が分かる様に成る。
（４）  ホルダー部材によって操作部や表示部を少なくとも半円周を囲繞する様に構成させて保護すると共に携帯時に円筒状の操作部に種々の物が当たらない様にし、被保護部材の誤操作を防止することが出来る。
（５）  ホールド部材によって再生装置の本体を構成するメモリフラッシュ等を内蔵するケーシングとカバーを一体化して継目なしに見せる様にし、シームレスケースの様な効果をだし、ケーシングとカバーが一体化されている様な構成とすることが出来る。
（６）  ホルダー部材をスタンド台或はエスカッションとして機能させることが出来る。
即ち、小型で使い勝手の良い被保護部材の誤操作防止及び保護が可能な電子機器及び再生装置を得ることが出来る。
【図面の簡単な説明】
【図１】本発明の１形態例を示す再生装置の外観を示す斜視図である。
【図２】本発明の１形態例を示す再生装置の背面図である。
【図３】本発明の１形態例を示す再生装置の平面図である。
【図４】本発明の１形態例の再生装置の要部の組立状態を示す斜視図である。
【図５】本発明の１形態例を示す再生装置のホルダー動作説明図（Ｉ）である。
【図６】本発明の１形態例を示す再生装置のホルダー動作説明図（ＩＩ）である。
【図７】本発明の１形態例を示す再生装置のアンホールド状態での操作手段の動作説明図（Ｉ）である。
【図８】本発明の１形態例を示す再生装置のアンホールド状態での操作手段の動作説明図（ＩＩ）である。
【図９】本発明の１形態例を示すホルダーの組立状態を示す斜視図である。
【図１０】本発明の再生装置の落下時の状態説明図である。
【符号の説明】
１‥‥再生装置、２‥‥ケーシング、７‥‥表示部、１１‥‥ホルダー、１９‥‥スイッチ、２２‥‥操作摘み、２３‥‥操作手段、２４‥‥再生／停止釦、２５‥‥カバー、２６‥‥音量調整摘み、２９，３０‥‥突片、４０‥‥落下地点
【図１】
2004240337.tif 000003
【図２】
2004240337.tif 000004
【図３】
2004240337.tif 000005
【図４】
2004240337.tif 000006
【図５】
2004240337.tif 000007
【図６】
2004240337.tif 000008
【図７】
2004240337.tif 000009
【図８】
2004240337.tif 000010
【図９】
2004240337.tif 000011
【図１０】
2004240337.tif 000012